(57)【要約】【課題】受信機の異常を個別に検出することができ、２台以上で使用される場合でもどの受信機が異常であるかを判断することのできる無線送受信装置を提供する。【解決手段】送信機及び受信機を備えた無線送受信装置において、送信機は、電波送信時に送信中であることを通知するものとし、受信機１２は、受信信号の受信電界レベルを検出する検出部１２２と、ここで検出された受信電界レベルを異常検出閾値と比較する比較部１２７と、この受信電界レベルが異常検出閾値に達したとき、前記送信機１１からの通知の有無を参照して、通知を受けている場合に当該受信機が異常状態であると判定する判定部１２８とを備える。【選択図】      図２
2010171639.tif 000002
【特許請求の範囲】
【請求項１】
送信機及び受信機を備えた無線送受信装置において、
前記送信機は、電波送信時に送信中であることを通知する通知手段を備え、
前記受信機は、受信信号の受信電界レベルを検出する検出手段と、この手段で検出された受信電界レベルを異常検出閾値と比較する比較手段と、この手段で前記受信電界レベルが異常検出閾値に達したとき、前記送信機からの通知の有無を参照して通知を受けている場合に当該受信機が異常状態であると判定する判定手段とを備えることを特徴とする無線送受信装置。
【発明の詳細な説明】
【技術分野】
【０００１】
本発明は、例えば無線電話用中継装置等の無線送受信装置に係り、特に受信機の異常状態を検出する機能を備えるものに関する。
【背景技術】
【０００２】
従来の無線電話用送受信装置にあっては、二組の同一送受信機を備えた２重系（現用／予備）を構成する場合がある。この場合、各受信機の持つスケルチ機能を利用し、２台共同じ受信電界であるにもかかわらず、一方の受信機のスケルチがオン、他方の受信機のスケルチがオフといった不一致を生じた場合に、受信機に異常があると判断していた（例えば特許文献１参照）。
【０００３】
ところが、その場合はまず２台の同一受信機であることが条件となり、１台のみで使用する場合は異常の判断ができないという問題が生じている。また、２台使用していても、それぞれの受信機のスケルチ設定レベルが同一である必要があり、一方の受信機が正常であっても、設定レベルの誤差、違いにより他方の受信機が異常と判断されてしまうことがある。このような場合に、２台のうちどちらの受信機が異常となってスケルチの不一致が生じているのかが実機を確認しないと判断することができなかった。
【先行技術文献】
【特許文献】
【０００４】
【特許文献１】特開昭５８−０１７７４０号公報
【発明の概要】
【発明が解決しようとする課題】
【０００５】
上述したように、従来の複数組で同一送受信機を備えた２重系を構成する無線送受信装置にあっては、受信機が異常であることは判っても、複数台正常で使用されていること、各台とも同一のスケルチ設定レベルであることが前提条件となり、またどの受信機が異常となっているかがその異常情報だけでは判断できないといった問題があった。
【０００６】
本発明はこのような従来の課題を解決するためになされたものであり、受信機の異常を個別に検出することができ、２台以上で使用される場合でもどの受信機が異常であるかを判断することのできる無線送受信装置を提供することを目的とする。
【課題を解決するための手段】
【０００７】
上記目的を達成するため、本発明は、送信機及び受信機を備えた無線送受信装置において、前記送信機は、電波送信時に送信中であることを通知する通知手段を備え、前記受信機は、受信信号の受信電界レベルを検出する検出手段と、この手段で検出された受信電界レベルを異常検出閾値と比較する比較手段と、この手段で前記受信電界レベルが異常検出閾値に達したとき、前記送信機からの通知の有無を参照して通知を受けている場合に当該受信機が異常状態であると判定する判定手段とを備える構成とする。
【発明の効果】
【０００８】
上記構成によれば、個々の受信機で送信機から送信中である旨の通知を受けているか否かで異常を判別することが可能となる。また、複数の受信機で運用される場合でも、どの受信機が異常なのかを判断することが可能となり、個々の受信機で任意に異常検出閾値を調整することができるので、設置環境による空中線状況に応じた設定をすることができ、また、運用方法による異常検出発報の重要性に応じた設定をすることが可能となる。
【０００９】
したがって、本発明によれば、受信機の異常を個別に検出することができ、２台以上で使用される場合でもどの受信機が異常であるかを判断することのできる無線送受信装置を提供することができる。
【図面の簡単な説明】
【００１０】
【図１】本発明の一実施形態に係る無線送受信装置を用いた移動通信システムを示す概略ブロック図。
【図２】上記実施形態に用いられる受信機の具体的な構成を示すブロック図。
【図３】上記実施形態の異常検出処理の流れを示すフローチャート。
【発明を実施するための形態】
【００１１】
以下、図面を参照して本発明の実施の形態を詳細に説明する。  
図１は本発明の一実施形態に係る無線送受信装置を用いた移動通信システムを示す概略ブロック図である。図１において、１が本発明に係る無線送受信装置である。この無線送受信装置１は移動局２との間で無線通信を行うための送信機１１と受信機１２を備え、例えば山頂にある無線局に設置される。この無線送受信装置１は専用回線等を通じてビル等に設置される固定局３に接続され、移動局２と固定局３との間の通話を可能とする。
【００１２】
また、上記無線送受信装置１の送信機１１及び受信機１２はそれぞれ異常検出機能を備え、異常を検出した場合には、送信機異常情報、受信機異常情報を異常監視装置４に送る。この異常監視装置４は、入力された異常検出結果から送信機１１、受信機１２それぞれの異常発生を監視し、異常発生時に予備系（図示せず）に切り替える等の処置を施すものである。
【００１３】
上記システムにおいて、具体的な運用例について説明する。まず、上記移動局２から送話すると、音声を変調した移動局送信波Ｓ１が受信機１２に届き、受信機１２にて復調した音声信号Ｓ２が固定局１３へ伝送されて受話される。逆に固定局３から送話すると、音声信号Ｓ３と送信起動制御信号（以下、送信起動と記す）Ｓ４が受信機１２を介して送信機１１に伝送される。尚、受信機１２を経由せず、別の機器（制御器等）を経由したり、あるいは直接接続したりして送信機１１へ音声信号Ｓ３と送信起動Ｓ４を伝送するようにしてもよい。送信起動Ｓ４が送信機１１に入力されると、送信機１１では音声信号Ｓ３を変調して送信波Ｓ５を送出する。この送信波Ｓ５は移動局２で受信復調され、これにより固定局３からの音声が受話される。
【００１４】
ここで、上記送信機１１から送出される送信波Ｓ５は受信機１２でも受信される。送信機１１と受信機１２の各アンテナはいずれも無線局に設置され固定の場所にあるので、送信波Ｓ５は常にほぼ一定の受信電界レベルで受信機１２のアンテナに到達することになる。これに対し、場所が移動する移動局１からの移動局送信波Ｓ１の受信電界レベルは一定ではない。一方、受信機１２は、移動局２からの送信波Ｓ１の受信時と自局送信機１１からの送信波Ｓ５の受信時とを識別する必要がある。そこで、送信機１１にて、送信時は自局送信波を発射中であることを示すプレス信号Ｓ６を受信機１２へ伝送（通知）し、受信機１２内での異常判断条件に用いる。
【００１５】
送信機１１及び受信機１２はそれぞれ異常を検出する機能を備え、異常を検出した際に異常情報Ｓ７，Ｓ８を送出する機能を備える。送信機１１で検出された送信機異常情報Ｓ７及び受信機１２で検出された受信機異常情報Ｓ８は、異常監視装置４へ送られ、送受信装置１の異常判断条件として用いられる。また、送信機異常情報Ｓ７は異常監視装置４を介して受信機１２にも送られる。
【００１６】
次に、前記受信機１２の内部構成について、図２の概略ブロック図を用いて説明する。
【００１７】
図２において、アンテナ（ＡＮＴ）により入力された送信波の受信信号は、アンテナフィルタや高周波増幅部を含むＲＸ−ＲＦ部１２１によりチャンネル選択及び増幅処理され中間周波数（ＩＦ）に変換されてＩＦ−ＩＣ部１２２に入力される。ＩＦ−ＩＣ部１２２にて音声信号が検波され、音声増幅部や音声帯域フィルタを含むＡＦ−ＡＭＰ部１２３を通り、スピーカ（ＳＰ）１２４やライン出力端子（Line Out）１２５から外部機器へ出力される。
【００１８】
また、ＩＦ−ＩＣ１２２からは受信電界レベルに応じた電圧（ＲＳＳＩ: Received Signal Strength Indicator）が出力され、その電圧を利用してスケルチ回路を含むＳＱ部１２６にてスケルチ制御（任意で設定した受信電界レベル以上の入力があった場合にＡＦ−ＡＭＰ部１２３への出力をＯＮにする）を行う。
【００１９】
本発明に係る受信機１２では、さらにそのＲＳＳＩ電圧を利用して、電圧比較器１２７、ＡＮＤ（論理積）回路１２８，１２９で受信機自体の異常検出を行う。その異常検出の処理の流れを図３に示すフローチャートを参照して説明する。
【００２０】
受信機１２では、常時自局送信機１１から通知されるプレス信号Ｓ６と自局送信機異常情報Ｓ７を１／０の信号で取り込んでいる。移動局２または自局送信機１１が送信すると、その送信波は受信機１２で受信され（ステップＳ１１）、ＩＦ−ＩＣ１２２にて受信電界レベル（ａ）が検出されてＲＳＳＩ電圧として出力される（ステップＳ１２）。
【００２１】
受信機１２では、任意の異常検出閾値（ｂ）が設定されており、（ａ）と（ｂ）の電圧が電圧比較器１２７によって比較され（ステップＳ１３）、その比較結果（ステップＳ１４）が（ａ）＜（ｂ）になった場合に電圧比較器１２７より“１”が出力される。
【００２２】
このとき、移動局２からの送信であった場合は、移動局２の位置により（ａ）＜（ｂ）となり得てしまうため、プレス信号の有無を判別して自局送信時であったかどうかをＡＮＤ（論理積）回路１２８にて判定し（ステップＳ１５）、さらに異常監視装置４からの自局送信機異常情報から自局送信機１１が異常であったかどうかをＡＮＤ回路１２９にて判定し（ステップＳ１６）、自局送信機１１に異常がない場合には、結果として受信機１２に異常があると判定して受信機異常情報Ｓ８を異常監視装置４へ出力する（ステップＳ１７）。
【００２３】
異常監視装置４では、送信機１１及び受信機１２から送られてくる異常検出情報に基づいてそれぞれの異常の有無をＬＥＤ表示させ、システムの無線機系の異常の有無を遠隔にて確認する。
【００２４】
上記構成によれば、受信機１２側で送信機１１から送信中である旨の通知を受けているか否かで異常を判別することが可能となる。また、複数の受信機で運用される場合でも、どの受信機が異常なのかを判断することが可能となり、個々の受信機で任意に異常検出閾値を調整することができるので、設置環境による空中線状況に応じた設定をすることができ、また、運用方法による異常検出発報の重要性に応じた設定をすることが可能となる。
【００２５】
以上、本発明に係る受信機を図示の実施形態に基づいて説明したが、本発明はこれに限定されるものではなく、各部の構成及び受信機以上情報の用途は、同様の機能を有する任意の構成のものに置き換えることができる。
【００２６】
例えば、上述した受信機異常情報を利用して、現用／予備２重系の無線システムにおいて、受信機を予備系に切り替えることもできる。
【００２７】
さらに、上記各実施形態では、音声通話の無線送受信装置について説明したが、本発明はこれに限定されるものではなく、その他の送受信装置についても適用可能であり、実施段階ではその要旨を逸脱しない範囲で構成要素を変形して具体化することができる。また、上記実施形態に開示されている複数の構成要素の適宜な組合せにより種々の発明を形成することもできる。例えば、実施形態に示される全構成要素からいくつかの構成要素を削除してもよい。さらに、異なる実施形態に亘る構成要素を適宜組み合わせてもよい。
【符号の説明】
【００２８】
１…無線送受信装置、１１…送信機、１２…受信機、１２１…ＲＸ−ＲＦ部、１２２…ＩＦ−ＩＣ部、１２３…ＡＦ−ＡＭＰ部、１２４…スピーカ（ＳＰ）、１２５…ライン出力端子（Line Out）、１２６…ＳＱ部、１２７…電圧比較器、１２８，１２９…ＡＮＤ（論理積）回路、２…移動局、３…固定局、４…異常監視装置。
【図１】
2010171639.tif 000003
【図２】
2010171639.tif 000004
【図３】
2010171639.tif 000005